(57)【要約】【課題】記録媒体に対して、複製するのが困難であり、しかも安価に製造することができる著作権管理を記録媒体に対して行う。【解決手段】  記録媒体１には、カートリッジ２内に光ディスク３が回転可能に収納されている。カートリッジ２には、例えば一辺が５ｍｍ程度のＲＦ-ＩＤチップ８-１,８-２が取り付けられている。光ディスク２には、その内周側の未記録領域に、ＲＦ-ＩＤチップ８-３が埋め込まれている。ＲＦ-ＩＤチップ８-３には、記録媒体１独自のユニークＩＤが格納されている。ＲＦ-ＩＤチップ８-１，８-２には、上記ユニークＩＤを照合するための情報が格納されている。記録再生装置は、ＲＦ-ＩＤチップ８-１,８-２に格納されている情報により、ＲＦ-ＩＤチップ８-３に格納されている情報を照合する。照合がＯＫであれば、その記録媒体１は正当品と判断される。【選択図】図１
2005108271.tif 000002
【特許請求の範囲】
【請求項１】
記録媒体と、
上記記録媒体を収納するカートリッジと、
上記記録媒体に設けられ、当該記録媒体に記録されている情報に関する第１の著作権管理情報を無線発信する第１の情報発信手段と、
上記カートリッジに設けられ、上記記録媒体に記録されている情報に関する第２の著作権管理情報を無線発信する第２の情報発信手段とを備え、
上記記録媒体に記録されている情報は、上記第１の情報及び第２の情報を認証した結果、その認証が正しければ正当な者により生成されたものとして再生制御が行われること
を特徴とする可搬型記憶装置。
【請求項２】
上記第１及び第２の情報発信手段は、受信した電磁波のエネルギーにより動作する複数個の無線発信素子からなること
を特徴とする請求項１記載の可搬型記憶装置。
【請求項３】
上記記録媒体は、円板状であること
を特徴とする請求項１記載の可搬型記憶装置。
【請求項４】
記録媒体と、当該記録媒体を収納するカートリッジと、上記記録媒体に設けられ当該記録媒体に記録されている情報に関する第１の著作権管理情報を無線発信する第１の情報発信部と、上記カートリッジに設けられ上記記録媒体に記録されている情報に関する第２の著作権管理情報を無線発信する第２の情報発信部とを備えた可搬型記憶装置が装着される装着手段と、
上記装着手段に装着された可搬型記憶装置内の記録媒体から、情報の再生を行う再生手段と、
上記第１の情報発信部から無線発信された情報を受信する第１の無線受信手段と、
上記第２の情報発信部から無線発信された情報を受信する第２の無線受信手段と、
上記可搬型記録装置内の記録媒体に記録されている情報の著作権情報に応じた再生制御を行う著作権制御手段とを備え、
上記著作権制御手段は、上記第１の著作権管理情報及び第２の著作権管理情報に基づき認証を行い、認証結果が正しければ上記記録媒体に記録されている情報が正当な者により生成されたものとして再生制御を行うこと
を特徴とする再生装置。
【請求項５】
上記情報発信手段は、受信した電磁波のエネルギーにより動作する複数個の無線発信素子からなること
を特徴とする請求項４記載の再生装置。
【請求項６】
上記記録媒体は、円板状であること
を特徴とする請求項４記載の再生装置。
【発明の詳細な説明】
【技術分野】
【０００１】
本発明は、著作権管理がされた可搬型記憶装置及びその再生装置に関するものである。
【背景技術】
【０００２】
コンパクトディスクに代表される光ディスクによってデジタルコンテンツを大量に複製できる製造方法が確立されたことにより、安価にデジタルコンテンツを入手することが可能となった。しかしながら、そのデジタルコンテンツの著作物としての価値は保護されるべきであり、大量複製がされたことによるそのデジタルコンテンツの著作者への対価も支払われるべきである。
【０００３】
ところで、コンテンツを提供するための記録媒体が著作権を無視した違法な複製に対して脆弱であると、違法な複製品が安価に大量に出回ってしまい、著作者の著作権料の徴収という機会が損失してしまう。また、今後ますます情報のデジタル化やネットワーク化が進むことにより、デジタルコンテンツを大量に複製したり、配布したりすることが容易になる。
【０００４】
そのため、デジタルコンテンツを提供するための記録媒体には違法複製を防止する機能が必要となる。特に、光ディスクなどの円盤状記録媒体を規格化する際には、上記のような違法な複製に対する技術的な対策が必須である。
【０００５】
違法な複製に対する対策の一つとして、ディスク毎に固有の識別情報（ユニークＩＤ）を持たせる方式（ユニークＩＤ方式）が提案されている。
【０００６】
また、以上のようなユニークＩＤをＲＦ-ＩＤチップに書き込み、そのＲＦ-ＩＤチップをディスク内に埋め込んで、ユニークＩＤを無線電波などで読み出す方式（ＲＦ-ＩＤ方式）も提案されている（特許文献１参照。）。
【０００７】
【特許文献１】特開２０００−２８５６５６号公報
【発明の開示】
【発明が解決しようとする課題】
【０００８】
ところで、著作権保護のための諸所の機能を安価にした記録媒体の場合、通常であれば、不正複製した記録媒体も安価にできてしまう。そのため、高価な機能を用いて著作権保護を実現するのが望ましいが、それでは汎用化が困難となってしまう。
【０００９】
本発明の目的は、正当権利者が製造する場合には著作権保護のための機能を安価に製造することができるが、不正複製しようしとした場合には高価になってしまう可搬型記憶装置及びその再生装置を提供することを目的とする。
【課題を解決するための手段】
【００１０】
本発明の可搬型記憶装置は、記録媒体と、上記記録媒体を収納するカートリッジと、上記記録媒体に設けられ、当該記録媒体に記録されている情報に関する第１の著作権管理情報を無線発信する第１の情報発信手段と、上記カートリッジに設けられ、上記記録媒体に記録されている情報に関する第２の著作権管理情報を無線発信する第２の情報発信手段とを備え、上記記録媒体に記録されている情報は、上記第１の情報及び第２の情報を認証した結果、その認証が正しければ正当な者により生成されたものとして再生制御が行われる。
【００１１】
本発明の再生装置は、記録媒体と、当該記録媒体を収納するカートリッジと、上記記録媒体に設けられ当該記録媒体に記録されている情報に関する第１の著作権管理情報を無線発信する第１の情報発信部と、上記カートリッジに設けられ上記記録媒体に記録されている情報に関する第２の著作権管理情報を無線発信する第２の情報発信部とを備えた可搬型記憶装置が装着される装着手段と、上記装着手段に装着された可搬型記憶装置内の記録媒体から、情報の再生を行う再生手段と、上記第１の情報発信部から無線発信された情報を受信する第１の無線受信手段と、上記第２の情報発信部から無線発信された情報を受信する第２の無線受信手段と、上記可搬型記録装置内の記録媒体に記録されている情報の著作権に応じた再生制御を行う著作権制御手段とを備え、上記著作権制御手段は、上記第１の著作権管理情報及び第２の著作権管理情報に基づき認証を行い、認証結果が正しければ上記記録媒体に記録されている情報が正当な者により生成されたものとして再生制御を行う。
【発明の効果】
【００１２】
本発明に係る可搬型記憶装置では、著作権保護のための情報を無線発信する手段を記憶媒体及びカートリッジの両者に設け、両者の情報に基づき記録されている情報の正当性が判断される。また、本発明に係る再生装置では、可搬型記憶装置の記憶媒体及びカートリッジの両者から著作権保護のための情報を無線受信し、両者の情報に基づき記録されている情報の正当性を判断する。
【００１３】
従って、本発明に係る可搬型記憶装置及びその再生装置では、カートリッジに設けられた著作権保護のための情報と、記録媒体に設けられた著作権保護のための情報との組み合わせにより、記録媒体に記録されている情報の正当性が判断される。不正複製を行う場合には、コンテンツ等が記録されている記録媒体を複製するのみならず、カートリッジも個々に複製をしなければならなくなるので、不正複製のコストが高くなり、不正複製の抑制を図ることができる。これに対して、正当な製造者は、複雑な暗号等の高コストな不正複製の防止機能を設けなくても、より強固な不正複製の防止を図ることができる。
【発明を実施するための最良の形態】
【００１４】
以下、本発明が適用された記憶媒体及びその記録再生装置について説明をする。
【００１５】
図１に本発明が適用された記憶媒体の斜視図を示し、図２に本発明が適用された記憶媒体１及びその記録再生装置１０の斜視図を示す。
【００１６】
記憶媒体１は、内部に光ディスクが収納された持ち運び可能な可搬型情報記憶装置である。内部に収納されている光ディスクは、情報に応じたピットパターンが形成された再生専用の光ディスク、又は、データを光磁気記録方式で記録可能な光磁気ディスクである。光ディスク３に記録される情報としては、例えば、静止画像データ、映像データ、オーディオデータ、ゲームプログラム等のデジタルコンテンツデータである。また、記憶媒体１は、著作権を無視した複製の防止が図られている。
【００１７】
記録再生装置１０は、記録媒体１が装着可能な装置であって、記録媒体１からオーディオデータや動画像データ等を再生してそのオーディオデータや動画像等を視聴するための小型携帯機器である。また、記録再生装置１０は、記録媒体１に格納されているゲームプログラムを実行して、表示部に表示された映像等を見ながらゲームを楽しむことができるゲーム機器としても機能をする。また、記録再生装置１０は、記録媒体１の識別情報を判別し、その識別情報が正しくない場合には再生の禁止等を行うといったような著作権に応じた再生制御を行う。
【００１８】
記憶媒体１についてさらに詳細に説明する。
【００１９】
図１に示すように、記憶媒体１は、上下一対のハーフを結合してなる略矩形のカートリッジ本体２を有している。カートリッジ本体２内には、オーディオデータ等の情報信号が記録された再生専用の光ディスク３又はオーディオデータ等を光磁気方式で記録することができる書換可能な光ディスク３が、回転可能に収納されている。光ディスク３には、中央部にクランピングプレート４が設けられており、記録再生装置１０のディスク回転駆動機構を構成するディスクテーブルにクランピングプレート４が磁気吸引されることによって、ディスクテーブルにセンタリングが図られた状態で装着される。
【００２０】
カートリッジ本体２は、略中央部から一側縁２ｂに亘って一側縁２ｂの略中央部に記録再生用の開口部５ａ，５ｂが設けられている。記録再生用の開口部５ａ，５ｂは、光ディスク３の信号記録領域の一部を径方向に亘って外部に臨ませる。上ハーフ側の記録再生用の開口部５ａからは、記録再生装置１０の記録部となる磁気ヘッドが進入し、また、下ハーフ側の記録再生用の開口部５ｂからは、光ピックアップが進入する。また、カートリッジ本体２には、下ハーフ側の略中央に、クランピングプレート４を外部に臨ませ、ディスクテーブルを進入可能とする中央開口部６が形成されている。
【００２１】
カートリッジ本体２の一側縁２ｂ側には、記録再生用の開口部５ａ，５ｂを開閉するシャッタ部材７が一側縁２ｂに沿って移動可能に取り付けられている。シャッタ部材７は、記録再生装置１０に挿入されるときに限って記録再生用の開口部５ａ，５ｂを開放し、その他の未使用時には、記録再生用の開口部５ａ，５ｂを閉塞し、カートリッジ本体２内の第１の光ディスク３に塵埃等の異物が付着しないようにしている。
【００２２】
カートリッジ本体には、媒体毎のユニークな識別情報を発信する第１のＲＦ-ＩＤチップ８-１及び第２のＲＦ-ＩＤチップ８-２が設けられている。また、光ディスク３には、内周側の信号記録領域以外の部分に、媒体毎のユニークな識別情報を発信する第３のＲＦ-ＩＤチップ８-３が設けられている。なお、第１，第２及び第３のＲＦ-ＩＤチップ８-１，８-２，８-３は、当該記録媒体１の著作権管理に用いられるが、その詳細については後述する。
【００２３】
以上のように構成される記憶媒体１は、内部の光ディスク３に対して光学的に情報が記録されており、その情報が記録再生装置１０により光学的に読み出される。
【００２４】
記録再生装置１０についてさらに詳細に説明する。
【００２５】
図２に示すように、記録再生装置１０は、全体が略直方体をなす本体部１１を有する。本体部１１には、記憶媒体１が外部から挿脱され、挿入された記憶媒体１を内部に収納するとともに記録再生が可能なように記録媒体１を内部に装着する装着部１２が設けられている。
【００２６】
本体部１１の一方の主面１１ａには、表示部１４が設けられている。表示部１４は、例えばＬＣＤ（Liquid Crystal Display）で形成されている。表示部１４は、記憶媒体１に記録されたオーディオデータを再生するときには再生中のオーディオデータのタイトル等のテキストデータが表示され、更に、静止画像データ、映像データを再生するときには再生中の静止画や映像が表示され、更に、ゲームプログラムを実行しているときには実行中のゲームプログラムの映像が表示される。
【００２７】
本体部１１の表示部１４の近傍（例えば下側）には、当該記録再生装置１０を操作するための操作部１５が設けられている。操作部１５は、押し釦でなる十字キー１５ａや複数の釦１５ｂで構成されており、これらのキー１５ａ，１５ｂは、例えば、ゲームソフトを実行しているとき、そのゲームの進行に応じて表示部１４に表示されたキャラクターを上下左右に移動させるために用いられる。
【００２８】
本体部１１には、本体部１１を遠隔操作するための遠隔操作装置１６がケーブル１７によって電気的に接続されている。遠隔操作装置１６には、更に、音声データを可聴音で出力するための電気音響変換素子となるイヤホン１８がケーブル１９を介して接続されている。
【００２９】
図３に記録再生装置１０の内部構成図を示す。
【００３０】
記録再生装置１０は、表示部１４,操作入力部１５,１６,イヤホン１８等を含めた各構成要素の管理及び制御を行うホストコントローラ２０と、記録媒体１に対して情報の記録及び再生を行うドライブ部２１とを備えている。
【００３１】
ドライブ部２１は、装着部１２に記録媒体１が装着されることにより、内部の光ディスク３に対して情報の記録及び再生が可能となる。
【００３２】
ドライブ部２１は、光ディスク３を回転する回転駆動機構２２と、光ディスク３にレーザ光を照射し光ディスク３で反射された戻りの光を検出する光ピックアップ２３と、記録時に光ディスク３に対して磁界を印加する磁気ヘッド２４と、光ピックアップ２３及び磁気ヘッド２４を光ディスク３の径方向（Ｘ２,Ｘ３方向）に移動させるスレッド機構２５とを備えている。
【００３３】
ディスク回転駆動機構２１は、駆動源となるスピンドルモータ、このスピンドルモータのスピンドルに設けられ光ディスク３の中心を支持するディスクテーブル等を有している。光ピックアップ２３は、光源となる半導体レーザ、光ディスクの信号記録面に半導体レーザより出射された光ビームを集光する対物レンズ、光ディスクの信号記録面で反射された戻りの光ビームを検出する光検出器等を有している。磁気ヘッド２４は、光ディスク３を挟んで光ピックアップ２３内の対物レンズと対向するように取り付けられている。磁気ヘッド２４は、光ディスク３を挟んで光ピックアップ２３の対物レンズと対向する位置に設けられている。磁気ヘッド２４は、記録時に、記録データによって変調された磁界を光ディスク３に対して印加する。スレッド機構２５は、光ピックアップ２３及び磁気ヘッド２４を同期させてディスク径方向に移動させる。
【００３４】
また、ドライブ部２１は、光ピックアップ２３の光検出器で検出された光ビームを光電変換し増幅するＲＦアンプ２７と、磁気ヘッド２４を駆動する磁気ヘッドドライバ２８と、各種サーボ制御を行うサーボ回路２９とを備える。
【００３５】
ＲＦアンプ２７には、光ピックアップ２３の光検出器が検出した光ディスク３からの反射光に応じた光電流信号が入力される。ＲＦアンプ２７は、入力された光電流信号に対して、電流-電圧変換、増幅処理、マトリクス演算処理等を行い、ＲＦ信号、トラッキングエラー信号、フォーカスエラー信号、アドレス信号等を生成して、これらの信号を出力する。磁気ヘッドドライバ２８は、入力された記録データに応じて磁気ヘッド２４を駆動し、磁気ヘッド２４に記録データに応じて変調された磁界を光ディスク３に印加させる。サーボ回路２９は、トラッキングエラー信号、フォーカスエラー信号、アドレス信号等に基づき、トラッキングサーボ制御、フォーカスサーボ制御、スレッドサーボ制御、回転速度制御等の各種制御を行う。
【００３６】
また、ドライブ部２１は、再生信号処理部３０と、記録信号処理部３１と、コントローラ３２とを備える。
【００３７】
再生信号処理部３０は、光ディスク３に記録された情報信号の再生処理をする。具体的に、再生信号処理部３０は、光ディスク３の再生時に、ＲＦアンプ２７から出力されたＲＦ信号が入力される。再生信号処理部３０は、入力されたＲＦ信号に対して、ＰＬＬ回路等によりクロック再生及び２値化をし、続いて、ＥＦＭ復調、誤り訂正処理及びデインタリーブ処理等を行い、再生データ列を出力する。再生データ列は、システム制御部２０に供給される。
【００３８】
記録信号処理部３２は、光ディスク３に対して情報信号を記録するとき、システム制御部２０から出力される記録データ列が入力される。記録信号処理部３２は、入力された記録信号に対して、インターリーブ処理及び誤り訂正符号を付加し、ＥＦＭ変調を行い、その変調されたデータ列を磁気ヘッドドライバ２８に供給する。
【００３９】
コントローラ２８は、ドライブ部２１の全体の制御を行う。
【００４０】
さらに、ドライブ部２１は、カートリッジ本体２に設けられている第１のＲＦ-ＩＤチップ８-１に記録されている情報を無線通信で検出する第１のＲＦ-ＩＤリーダ３５と、第２のＲＦ-ＩＤチップ８-２に記録されている情報を無線通信で検出する第２のＲＦ-ＩＤリーダ３６と、光ディスク３に設けられている第３のＲＦ-ＩＤチップ８-３に記録されている情報を無線通信で検出するＲＦ-ＩＤリーダ３７と、著作権保護制御を行う著作権管理部３８とを備えている。
【００４１】
著作権管理部３８は、第１，第２及び第３のＲＦ-ＩＤリーダ３５，３６及び３７の出力値に基づき再生信号処理部３０を制御して記録媒体１に記録されているデジタルコンテンツの著作権保護のための再生制御を行う。例えば、著作権管理部３８は、光ディスク３に記録された情報信号を他の媒体に複写するとき等に、ＲＦアンプ２７で生成されたＲＦ信号の中から著作権保護情報を抽出し、抽出した著作権保護情報に基づいて複製等を許可又は禁止する。著作権管理部３８は、記録媒体１に設けられている第１，第２及び第３のＲＦ-ＩＤチップ８-１，８-２及び８-３から読み出した識別情報に基づき、当該光ディスク３が正当なものであるか否かを判断し、その判断結果に基づき再生の禁止処理を行う。
【００４２】
なお、ドライブ部２１による著作権保護のための制御方法については詳細を後述する。
【００４３】
以上のように構成された記録再生装置１０の全体の動作について説明する。
【００４４】
カートリッジに収納された光ディスク３は、ディスク回転駆動機構２２により回転されると、光ピックアップ２３より半導体レーザから出射された光ビームが対物レンズによって集光され照射される。光ピックアップ２３は、光ディスクの信号記録面で反射された戻りの光ビームを光検出器で検出することによって、光ディスクに記録されているＲＦ信号を再生すると共に、トラッキングエラー信号、フォーカスエラー信号、アドレス信号等を抽出する。情報信号の再生時は、磁気ヘッド２４は光ディスク３から離間しており、光ピックアップ２３の光検出器で検出されたＲＦ信号をデコードすることによって、静止画像データ、映像データ、プログラム等の情報信号を再生し表示部に表示すると共に、静止画像データ、映像データ、プログラム等に関連した音声信号、オーディオデータ等を可聴音に変換して出力する。また、情報信号の記録時は、磁気ヘッド２４が光ディスクに近接され、光ビームによって加熱された領域に記録する情報信号に応じて磁界が印加され、光ディスク３に信号が書き込まれる。
【００４５】
つぎに、記憶媒体１及び記録再生装置１０の著作権管理方法について説明をする。
【００４６】
記録再生装置１０では、記録媒体１が不正なコピーがされた媒体であるか否かを、カートリッジ本体２に埋め込まれた第１のＲＦ-ＩＤチップ８-１及び第２のＲＦ-ＩＤチップ８-２並びに光ディスク３に埋め込まれた第３のＲＦ-ＩＤチップ８-３が発信する情報に基づき、判断している。
【００４７】
ＲＦ-ＩＤチップ８-１〜８-３とＲＦ-ＩＤリーダ３５〜３７との間は、電磁波を用いた無線通信方式で情報のやり取りが行われ、さらに、ＲＦ-ＩＤチップ８-１〜８-３は、電池等の電源を有さない回路であり、ＲＦ-ＩＤリーダ３５〜３７からの送信電波のエネルギーを直流電力に変換して、自己の動作電力としている。ＲＦ-ＩＤチップ８-１〜８-３とＲＦ-ＩＤリーダ３５〜３７との間では、マイクロ波帯域の放射電磁波を用いて通信が行われる。
【００４８】
第１のＲＦ-ＩＤチップ８-１及び第２のＲＦ-ＩＤチップ８-２は、図４（Ａ）に示すように、カートリッジ本体２の所定の位置に埋め込まれているか、又は、カートリッジ本体２の内側表面に取り付けられている。また、第３のＲＦ-ＩＤチップ８-３は、図４（Ｂ）に示すように、光ディスク３の内周側の未記録領域４１の基板内に埋め込まれている。ＲＦ-ＩＤチップ８-１〜８-３は、光ディスク３の基板の厚さ以下の大きさであり、望ましくは０．５ｍｍ角以下程度のＩＣチップが用いられる。例えば、株式会社日立製作所社製の「ミューチップ」等を用いる。光ディスク３の基板内に埋め込む実装方法は、例えば、樹脂基板表面に貼り付ける方法、樹脂基板をインジェクションモールドする際に基板内部に埋没させる方法、貼り合わせ基板の場合に貼り合せ用の樹脂内部に埋没させる方法などがある。
【００４９】
第１のＲＦ-ＩＤリーダ３５は、記録再生装置１０のドライブ部２１内に設けられており、装着部１０に記録媒体１が挿入された状態のときに、第１のＲＦ-ＩＤチップ８-１に対応する位置に設けられている。第２のＲＦ-ＩＤリーダ３６も、記録再生装置１０のドライブ部２１内に設けられており、装着部１０に記録媒体１が挿入された状態のときに、第２のＲＦ-ＩＤチップ８-２に対応する位置に設けられている。第３のＲＦ-ＩＤリーダ３６は、記録再生装置１０のドライブ２１に設けられており、光ディスク３の内周側の未記録領域４１の直下に設けられている。
【００５０】
第１のＲＦ-ＩＤリーダ３５〜第３のＲＦ-ＩＤリーダ３７は、それぞれ対応するＲＦ-ＩＤチップ８-１〜８-３が、ほぼ直下（若しくは直上）に位置した場合にのみ通信が行えるように、電力及び電波の指向性が調整されている。また、第１のＲＦ-ＩＤリーダ３５〜第３のＲＦ-ＩＤリーダ３７の検出感度、つまり、通信可能となる物理的な範囲は、例えば、自分と対応しない他のＲＦ-ＩＤチップからの情報が検出できないように、感度が調整されている。すなわち、第１のＲＦ-ＩＤリーダ３５は、記録媒体１が装着された状態で第１のＲＦ-ＩＤチップ８-１のみと通信可能であり、第２及び第３のＲＦ-ＩＤチップ８-２，８-３とは通信が行えないように感度が調整されており、第２のＲＦ-ＩＤリーダ３６は、記録媒体１が装着された状態で第２のＲＦ-ＩＤチップ８-２のみと通信可能であり、第１及び第３のＲＦ-ＩＤチップ８-１，８-３とは通信が行えないように感度が調整されており、第３のＲＦ-ＩＤリーダ３７は、記録媒体１が装着された状態で第３のＲＦ-ＩＤチップ８-３のみと通信可能であり、第１及び第２のＲＦ-ＩＤチップ８-１，８-２とは通信が行えないように感度が調整されている。
【００５１】
また、第３のＲＦ-ＩＤチップ８-３には、製造された記録媒体１を個別に識別するための、他の記録媒体１と異なる値の固有の識別情報（ユニークＩＤ）が格納されている。第３のＲＦ-ＩＤチップ８-３に格納されているユニークＩＤは、例えば、記録媒体１に格納されている情報を復号するための暗号鍵等となっていてもよい。
【００５２】
第１のＲＦ-ＩＤチップ８-１及び第２のＲＦ-ＩＤチップ８-２には、上記ユニークＩＤを照合するための照合情報が格納されている。例えば、第１のＲＦ-ＩＤチップ８-１に格納されている第１の情報と第２のＲＦ-ＩＤチップ８-２に格納されている第２の情報とを合成して照合情報を生成し、照合情報を用いて上記ユニークＩＤを照合することにより、当該ユニークＩＤが正当な情報である、不正な情報であるかを確認することができる。例えば、上記照合情報により、本来の値ではない不正なユニークＩＤを照合すると、当該ユニークＩＤが不正な情報であるという結果を得ることができ、また、不正な照合情報によりユニークＩＤを照合しても、不正な情報であるという結果を得ることができる。
【００５３】
従って、記録媒体１は、第１のＲＦ-ＩＤチップ８-１，第２のＲＦ-ＩＤチップ８-２及び第３のＲＦ-ＩＤチップ８-３の全ての値が正当でなければ、ユニークＩＤを得ることができないシステムとなっている。
【００５４】
次に、記録再生装置１０からユニークＩＤを取得する手順について図５のフローチャートを参照して説明をする。
【００５５】
記録再生装置１０では、記録媒体１が装着されると、以下のステップＳ１から処理が開始する。
【００５６】
ステップＳ１において、第１のＲＦ-ＩＤリーダ３５により、第１のＲＦ-ＩＤチップ８-１に格納されている第１の情報を読み出す。
【００５７】
続いて、ステップＳ２において、第２のＲＦ-ＩＤリーダ３６により、第２のＲＦ-ＩＤチップ８-２に格納されている第２の情報を読み出す。
【００５８】
続いて、ステップＳ３において、著作権管理部３８により、第１の情報と第２の情報とを合成して照合情報を生成する。
【００５９】
続いて、ステップＳ４において、第３のＲＦ-ＩＤリーダ３７により、第３のＲＦ-ＩＤチップ８-３に格納されているユニークＩＤを読み出す。
【００６０】
続いて、ステップＳ５において、著作権管理部３８により、照合情報を用いて、読み出したユニークＩＤを照合する。照合の結果、ユニークＩＤが照合できない場合（ＮＧの場合）には、当該記録媒体１は不正に複製された疑いありとし、記録媒体１に記録されているコンテンツの再生を禁止したりする。照合の結果、ユニークＩＤが照合できた場合（ＯＫの場合）には、当該記録媒体１は正当品であると判断し、ユニークＩＤを出力して記録媒体１に記録されているコンテンツの再生を許可する。
【００６１】
以上のように記録媒体１及び記録再生装置１０では、著作権保護のための情報を無線発信するＲＦ-ＩＤチップを光ディスク３とカートリッジ本体２の両者に設け、両者のＲＦ-ＩＤチップに格納されている情報に基づき、光ディスク３に記録されている情報の正当性を判断している。従って、記録媒体１及び記録再生装置１０では、カートリッジ本体２に設けられた著作権保護のための情報と、光ディスク３に設けられた著作権保護のための情報との組み合わせにより、光ディスク３に記録されている情報の正当性が判断される。
【００６２】
このことにより、もし不正複製を行う場合には、コンテンツ等が記録されている光ディスク３を複製するのみならず、カートリッジ本体２も個々に複製をしなければならなくなるので、不正複製のコストが高くなり、不正複製の抑制を図ることができる。
【００６３】
以下、つぎに、上述した記録媒体１及び記録再生装置１０の変形例について説明をする。
【００６４】
図６に、記録媒体１を変形した記録媒体５０の斜視図を示す。
【００６５】
記録媒体５０は、記録媒体１に、第４のＲＦ-ＩＤチップ８-４が設けられたものである。また、記録再生装置１０は、記録媒体５０の変形に対応して、第３のＲＦ-ＩＤリーダ３７の構成が変形されている。
【００６６】
第３のＲＦ-ＩＤチップ８-３及び第４のＲＦ-ＩＤチップ８-４は、図７（Ａ）に示すように、光ディスク３の内周側の未記録領域４１（以下、ＲＦ-ＩＤ領域４１と呼ぶ。）の基板内に埋め込まれている。
【００６７】
ＲＦ-ＩＤリーダ３７は、図７（Ｂ）に示すように、記録再生装置１０のスレッド機構２５に設けられており、第３のＲＦ-ＩＤチップ８-３及び第４のＲＦ-ＩＤチップ８-４のほぼ直下に位置した場合にのみ通信が行えるように、電力及び電波の指向性が調整されている。すなわち、第３のＲＦ-ＩＤリーダ３７は、スレッド機構２５の光ディスク３の径方向（Ｘ２方向,Ｘ３方向）の移動制御により、ＲＦ-ＩＤ領域４１上を自在に移動可能となっている。また、第３のＲＦ-ＩＤリーダ３７によるＲＦ-ＩＤチップ８の検出感度、つまり、通信可能となる物理的な範囲は、例えば、第３のＲＦ-ＩＤリーダ３７と第３のＲＦ-ＩＤチップ８-３及び第４のＲＦ-ＩＤチップ８-４とが半径方向に１ｍｍ以上位置ずれをしていれば検出ができない、且つ、第３のＲＦ-ＩＤリーダ３７とＲＦ-ＩＤチップ８とが円周方向に１０度以上位置ずれをしていれば検出ができない、といったように設定がされている。すなわち、このように設定されている場合には、半径方向に１ｍｍの範囲、円周方向に１０度以下が、第３のＲＦ-ＩＤチップ８-３及び第４のＲＦ-ＩＤチップ８-４の感度となる。
【００６８】
ここで、第３のＲＦ-ＩＤチップ８-３及び第４のＲＦ-ＩＤチップ８-４には、図８に示すように、ＲＦ-ＩＤ領域４１内における配置情報が記録されている。配置情報とは、チップ自身が光ディスク３のＲＦ-ＩＤ領域４１におけるどこに位置しているかを示す情報であり、ＲＦ-ＩＤ領域４１内における半径位置ｒと、角度θとにより表される。角度θは、ＲＦ-ＩＤ領域４１上における径方向の円周基準線Ｙからの角度で表される。第３のＲＦ-ＩＤチップ８-３及び第４のＲＦ-ＩＤチップ８-４は、光ディスク３の製造時にＲＦ-ＩＤ領域に埋め込まれるが、製造される１つ１つの光ディスク３毎にその位置がユニークとなるように定められる。つまり、第１のＲＦ-ＩＤチップ８-１及び第２のＲＦ-ＩＤチップ８２の配置が光ディスク３毎に異なっており、且つ、記録されている配置情報もそれに対応して異なっている。
【００６９】
従って、記録媒体１では、第３のＲＦ-ＩＤチップ８-３及び第４のＲＦ-ＩＤチップ８-４の配置位置が、個体が正当であるか否かを示す識別情報として機能することとなる。
【００７０】
なお、記録媒体１では、配置情報のうち、角度については、２つのＲＦ-ＩＤチップの相対的な位置関係を記録している。つまり、ＲＦ-ＩＤチップ８-３とＲＦ-ＩＤチップ８-４との角度差を記録している。もっとも、記録媒体１内における絶対的な角度を配置情報としてもよい。この場合には、１つのＲＦ-ＩＤチップにより配置情報を表すことが可能となる。
【００７１】
続いて、記録再生装置１０による、光ディスク３が正当品であるか否かの判断手順について、図９のフローチャートを参照して説明をする。
【００７２】
記録再生装置１０では、記録媒体１が装着されると、以下のステップＳ１１から処理が開始する。
【００７３】
記録再生装置１０では、スレッド２５を光ディスク３の内周側に移動させ、第３のＲＦ-ＩＤリーダ３７をＲＦ-ＩＤ領域４１の最内周位置に移動させる（ステップＳ２１）。
【００７４】
続いて、記録再生装置１０では、光ディスク３を低速回転させ、第３のＲＦ-ＩＤリーダ３７が無線通信のポーリングを行い、著作権管理部３８が第３のＲＦ-ＩＤリーダ３７からの検出信号を読み取ってＲＦ-ＩＤチップから返答があるか否かの判断を行う（ステップＳ１２）。任意の回転位置でＲＦ-ＩＤチップから返答があればステップＳ１５に進む。返答がなく１回転してしまった場合には（ステップＳ１３）、１回転した時点で第３のＲＦ-ＩＤリーダ３７を１単位距離分外周側に移動させ（ステップＳ１４）、再度光ディスク３を低速回転させながらポーリングを行い（ステップＳ１２）、ＲＦ-ＩＤチップが検出されるまでこの処理を続行をする。なお、ここでいう１単位距離とは、第３のＲＦ-ＩＤリーダ３７によるＲＦ-ＩＤチップ８の半径方向の検出感度（例えば、１ｍｍ）分の距離である。
【００７５】
ステップＳ１２でＲＦ-ＩＤチップから返答があれば、著作権管理部３８は、その時の光ディスク３の回転角度θ１及びそのときの第３のＲＦ-ＩＤリーダ３７の半径位置ｒ１を記憶し（ステップＳ１５）、それとともにそのＲＦ-ＩＤチップに記録されている情報（配置情報）を読み出す（ステップＳ１６）。
【００７６】
なお、ステップＳ１６においてＲＦ-ＩＤチップから読み出された情報は、上述したステップＳ１〜５の処理を行い、第１のＲＦ-ＩＤチップ８-１及び第１のＲＦ-ＩＤチップ８-２の情報を用いて照合処理が行われる。照合がＯＫであれば、続くステップＳ１７に処理が続行する。
【００７７】
続いて、記録再生装置１０では、再度、光ディスク３を低速回転させ、第３のＲＦ-ＩＤリーダ３７が無線通信のポーリングを行い、著作権管理部３８が第３のＲＦ-ＩＤリーダ３７からの検出信号を読み取ってＲＦ-ＩＤチップから返答があるか否かの判断を行う（ステップＳ１７）。任意の回転位置でＲＦ-ＩＤチップから返答があればステップＳ２０に進む。返答がなく１回転してしまった場合には（ステップＳ１８）、１回転した時点で第３のＲＦ-ＩＤリーダ３７を１単位距離分外周側に移動させ（ステップＳ１９）、再度光ディスク３を低速回転させながらポーリングを行い（ステップＳ１７）、ＲＦ-ＩＤチップが検出されるまでこの処理を続行をする。
【００７８】
ステップＳ１７でＲＦ-ＩＤチップ８から返答があれば、著作権管理部３８は、その時の光ディスク３の回転角度θ２及びそのときの第３のＲＦ-ＩＤリーダ３７の半径位置ｒ２を記憶し（ステップＳ２１）、それとともにＲＦ-ＩＤチップ８に記録されている情報（配置情報）を読み出す（ステップＳ２１）。
【００７９】
なお、ステップＳ２１においてＲＦ-ＩＤチップから読み出された情報は、上述したステップＳ１〜５の処理を行い、第１のＲＦ-ＩＤチップ８-１及び第１のＲＦ-ＩＤチップ８-２の情報を用いて照合処理が行われる。照合がＯＫであれば、続くステップＳ２２に処理が続行する。
【００８０】
続いて、著作権管理部３８は、２つのＲＦ-ＩＤチップ８の回転角度θ１及びθ２の角度差及び半径位置ｒ１,ｒ２が、ＲＦ-ＩＤチップ８内部から読み出した配置情報と一致するか否かを判断する（ステップＳ２２）。そして、判断した結果、一致する場合には、その光ディスク３は正当品であると判断し、通常の再生制御を行うようにする。一方、判断した結果、一致しない場合には、その光ディスク３は正当品ではないと判断し、例えば、再生処理の禁止を行う。
【００８１】
以上のように、記録媒体５０では、ＲＦ-ＩＤチップを光ディスク３に埋め込み、その埋め込み位置を識別情報とするとともに、その埋め込み位置をＲＦ-ＩＤチップ内に記録しておく。このことにより、ＲＦ-ＩＤチップに記録されている配置情報と、実際の埋め込み位置とが一致しているか否かを判断するのみで、その記録媒体１が正当品か否かを判断することができる。従って、記録媒体５００では、違法に複製及び製造するのが困難であり、識別情報として複雑性があり且つ安価な著作権管理を行うことが可能となる。
【００８２】
なお、記録媒体１には、光ディスク３の内周側の未記録領域にＲＦ-ＩＤチップを埋め込むこととしているが、その埋め込み位置は限られない。例えば、図１０に示すように、光ディスクの外周部分の未記録領域に第５のＲＦ-ＩＤチップ８-５を設けてもよい。
【図面の簡単な説明】
【００８３】
【図１】本発明が適用された記憶媒体の斜視図である。
【図２】本発明が適用された記録再生装置の斜視図である。
【図３】上記記録再生装置のブロック図である。
【図４】ＲＦ-ＩＤチップの配置位置を説明するための図である。
【図５】記録媒体からユニークＩＤを検出する手順を示すフローチャートである。
【図６】図１に示した記録媒体の変形例を示す斜視図である。
【図７】図６に示した記録媒体のＲＦ-ＩＤチップの配置位置、及び、このＲＦ-ＩＤチップを検出するためのＲＦ-ＩＤリーダの構成を説明するための図である。
【図８】図６に示したＲＦ-ＩＤチップの記録媒体状の位置を説明するための図である。
【図９】図６に示した記録媒体が正当品であるか否かの判断手順を示すフローチャートである。
【図１０】外周側にもＲＦ-ＩＤを設けたディスクを示した図である。
【符号の説明】
【００８４】
１，５０  記録媒体、１０  記録再生装置、８（８-１, ８-２, ８-３, ８-４，８-５）  ＲＦ-ＩＤチップ、３５，３６，３７  ＲＦ-ＩＤリーダ
【図１】
2005108271.tif 000003
【図２】
2005108271.tif 000004
【図３】
2005108271.tif 000005
【図４】
2005108271.tif 000006
【図５】
2005108271.tif 000007
【図６】
2005108271.tif 000008
【図７】
2005108271.tif 000009
【図８】
2005108271.tif 000010
【図９】
2005108271.tif 000011
【図１０】
2005108271.tif 000012